(57)【要約】【課題】  アクセサリと共に、擬似交換レンズが装着された状態でも、アクセサリ内の情報を書き換えることができるカメラシステムを提供する。【解決手段】  カメラ本体、アクセサリ、擬似交換レンズが装着されてから所定時間以内に、アクセサリを単独で動作させる命令がカメラ本体側から送られてきた場合には、アクセサリとカメラ本体とが相互に通信を開始し、アクセサリ内の情報を書き換える。【選択図】  図５
2014209269.tif 000002
【特許請求の範囲】
【請求項１】
調整用工具と、交換レンズと、前記調整用工具と前記交換レンズとの間に装着可能なアクセサリとを備える調整システムであって、
前記アクセサリは、該アクセサリに入力された信号を処理する際に使用される情報を記憶する記憶部と、前記記憶部に記憶された情報の書き換えを実行する制御手段を有し、
前記アクセサリには、前記交換レンズに代えて、前記調整用工具との通信機能を持たない擬似交換レンズが装着可能であり、
前記アクセサリを介して前記調整用工具に前記擬似交換レンズが装着されることにより、前記調整用工具から前記アクセサリへの給電が開始され、
前記給電が開始されてから所定時間内に、前記制御手段が、前記情報の書き換えを実行することを示す命令を前記調整用工具から受信した場合、前記制御手段は、前記情報の書き換えを実行することを特徴とする調整システム。
【請求項２】
前記給電が開始されてから所定時間内に、前記制御手段が、前記情報の書き換えを実行することを示す命令を、前記調整用工具から受信しない場合、前記制御手段は、前記アクセサリを省電力状態にすることを特徴とする請求項１に記載の調整システム。
【請求項３】
調整用工具と交換レンズとの間に装着可能なアクセサリであって、
前記アクセサリに入力された信号を処理する際に使用される情報を記憶する記憶部と、前記記憶部に記憶された情報の書き換えを実行する制御手段を有し、
前記アクセサリには、前記交換レンズに代えて、前記調整用工具との通信機能を持たない擬似交換レンズが装着可能であり、
前記アクセサリに前記調整用工具及び前記擬似交換レンズが装着されることにより、前記調整用工具から前記アクセサリへの給電が開始され、
前記給電が開始されてから所定時間内に、前記制御手段が、前記情報の書き換えを実行することを示す命令を前記調整用工具から受信した場合、前記制御手段は、前記情報の書き換えを実行することを特徴とするアクセサリ。
【請求項４】
調整用工具と交換レンズとの間に装着可能なアクセサリの制御方法であって、
前記アクセサリには、前記アクセサリに入力された信号を処理する際に使用される情報が記憶されており、前記交換レンズに代えて、前記調整用工具との通信機能を持たない擬似交換レンズが装着可能であり、
前記アクセサリに前記調整用工具及び前記擬似交換レンズを装着することで、前記調整用工具から前記アクセサリへの給電を開始させる工程と、
前記給電が開始されてから所定時間内に、前記調整用工具から前記情報の書き換えを実行することを示す命令を受信した場合に、前記情報の書き換えを実行する工程と、
を含むことを特徴とするアクセサリの制御方法。
【発明の詳細な説明】
【技術分野】
【０００１】
本発明は、調整用工具と交換レンズとの間に装着されるアクセサリ、調整用工具とアクセサリとを含む調整システムに関するものである。
【背景技術】
【０００２】
従来、カメラ本体と交換レンズ間で通信が可能なように構成されたカメラシステムにおいて、交換レンズには当該交換レンズの光学的な固有情報が電子データとして格納されている。光学的な固有情報とは例えば、レンズ移動量とピント移動量との関係を示すデータ、ピント補正量に関するデータ、焦点距離データ、絞りデータ等である。これらの固有情報を適切なタイミングでカメラに伝達することでオートフォーカス（ＡＦ）や、オートエクスポージャ（ＡＥ）等が行われている。
【０００３】
また、カメラ本体と交換レンズの間にアクセサリを装着して使用する場合がある。その際、交換レンズ＋アクセサリの光学的固有情報は、交換レンズ単体の光学的固有情報とは異なる。そのため、カメラ本体、又は交換レンズにてアクセサリの接続を検出して上記光学的固有情報を補正するものがある。
【０００４】
しかしながら、設計の旧いカメラ本体及び交換レンズと、設計の新しいアクセサリが組み合わせて用いられた場合、上記のような光学的固有情報の補正ができないという問題があった。なお、上記の設計の新旧という言葉は、以下のような意味で使用している。すなわち、従来のカメラ本体、又は交換レンズ（旧設計のカメラ本体及び交換レンズ）では検出できない、又は補正値を持っていないアクセサリ（新設計のアクセサリ）が新たに開発された場合である。
【０００５】
上記の問題を解決するため、特許文献１では、アクセサリの中にＣＰＵを持ち、カメラと交換レンズ間の必要な通信のみを途中で変換して、光学的固有情報をアクセサリを加味したものに書き換えるという発明を開示している。また、特許文献２では、カメラ本体及び交換レンズのシステムがアクセサリよりも旧い場合は、アクセサリにおいて交換レンズの光学的固有情報を補正し、カメラに送信するという発明を開示している。
【先行技術文献】
【特許文献】
【０００６】
【特許文献１】特開昭６３−１９９３３６号公報
【特許文献２】特開２００２−３４１４２４号公報
【発明の概要】
【発明が解決しようとする課題】
【０００７】
カメラ、レンズ、アクセサリそれぞれの個体製造バラツキにより、上記光学的固有情報を変更する必要が生じる場合がある。その際、前述のようなシステムの新旧の制約から、アクセサリ内の補正データを書換える必要がある。また、システムの柔軟性を確保するためには、アクセサリがユーザーの手元に渡った後でも、アクセサリ内部のデータやファームウェアをアップデートできることが望ましい。更に言えば、そのための特殊な入力端子や追加部品なしで上記のことを行うためには、既存のカメラマウントを通してアクセサリを操作することが必要である。
【０００８】
アクセサリは通常、カメラ本体と交換レンズが組み合わされて始めて動作するものなので、誤動作防止のため、上記の３つが組み合わせて装着されてはじめてアクセサリに電源が入るようにするのが望ましい。すなわち、アクセサリには、交換レンズを接続するためのマウント部があるが、そこに交換レンズが取り付くことによって物理的にＯＮされるスイッチ等を持つことである。また、特許文献１、２の様に、必要な通信のみをアクセサリ内で変換する場合、それ以外の通信はカメラからレンズに直接送られている。例えば、アクセサリ内の情報を書き換えるための専用コマンドを新たに設け、カメラ側から送信すると、レンズもそのコマンドを受け取ることになる。レンズ側がそのコマンドを知らない場合、誤動作する可能性がある。更に、製造工程でアクセサリ内の情報を書き換える場合、製造ライン上に常に交換レンズを準備しなければならず、落下等により破損させてしまう可能性がある。
【０００９】
そこで交換レンズの代わりに、上記のスイッチをＯＮにするための擬似交換レンズを用いることが考えられる。
【００１０】
しかし、カメラ本体、アクセサリ、擬似交換レンズの組み合わせでは、カメラ本体が交換レンズを検出できないため、通信自体を開始しない可能性がある。また、通信を送ってきたとしても、本物の交換レンズが付いていないため、正常な通信は行われない。本来、このような場合、アクセサリは無駄な電力消費を防ぐため自らの電源を切るか、省電力状態に移行する。なぜなら、カメラに、マウント保護キャップを付けたアクセサリを取り付けて放置しておくだけで電池を大幅に消耗してしまうからである。しかし、それでは上記のようにアクセサリ自体をカメラ側から操作したい場合に、アクセサリが動作不可能な状態になってしまう。
【００１１】
そこで、本発明は、アクセサリに擬似交換レンズが装着された状態でも、アクセサリ内の情報を書き換えることができるカメラシステムを提供することを目的とする。
【課題を解決するための手段】
【００１２】
本発明の調整システムは、調整用工具と、交換レンズと、前記調整用工具と前記交換レンズとの間に装着可能なアクセサリとを備える調整システムであって、前記アクセサリは、該アクセサリに入力された信号を処理する際に使用される情報を記憶する記憶部と、前記記憶部に記憶された情報の書き換えを実行する制御手段を有し、前記アクセサリには、前記交換レンズに代えて、前記調整用工具との通信機能を持たない擬似交換レンズが装着可能であり、前記アクセサリを介して前記調整用工具に前記擬似交換レンズが装着されることにより、前記調整用工具から前記アクセサリへの給電が開始され、前記給電が開始されてから所定時間内に、前記制御手段が、前記情報の書き換えを実行することを示す命令を前記調整用工具から受信した場合、前記制御手段は、前記情報の書き換えを実行することを特徴とする。
【００１３】
本発明のアクセサリは、調整用工具と交換レンズとの間に装着可能なアクセサリであって、前記アクセサリに入力された信号を処理する際に使用される情報を記憶する記憶部と、前記記憶部に記憶された情報の書き換えを実行する制御手段を有し、前記アクセサリには、前記交換レンズに代えて、前記調整用工具との通信機能を持たない擬似交換レンズが装着可能であり、前記アクセサリに前記調整用工具及び前記擬似交換レンズが装着されることにより、前記調整用工具から前記アクセサリへの給電が開始され、前記給電が開始されてから所定時間内に、前記制御手段が、前記情報の書き換えを実行することを示す命令を前記調整用工具から受信した場合、前記制御手段は、前記情報の書き換えを実行することを特徴とする。
【００１４】
また、本発明のアクセサリの制御方法は、調整用工具と交換レンズとの間に装着可能なアクセサリの制御方法であって、前記アクセサリには、前記アクセサリに入力された信号を処理する際に使用される情報が記憶されており、前記交換レンズに代えて、前記調整用工具との通信機能を持たない擬似交換レンズが装着可能であり、前記アクセサリに前記調整用工具及び前記擬似交換レンズを装着することで、前記調整用工具から前記アクセサリへの給電を開始させる工程と、前記給電が開始されてから所定時間内に、前記調整用工具から前記情報の書き換えを実行することを示す命令を受信した場合に、前記情報の書き換えを実行する工程と、を含むことを特徴とする。
【発明の効果】
【００１５】
本発明によれば、アクセサリに擬似交換レンズが装着された状態でも、アクセサリ内の情報を書き換えることができるカメラシステムを提供することができる。
【図面の簡単な説明】
【００１６】
【図１】カメラ−交換レンズ接続の基本的な構成を表すブロック図
【図２】カメラ−アクセサリ交換レンズ接続の基本的な構成を表すブロック図
【図３】本実施形態におけるフローチャート図
【図４】本実施形態における接続の構成を表すブロック図
【図５】本実施形態におけるフローチャート図
【発明を実施するための形態】
【００１７】
以下に、本発明の好ましい実施の形態を、添付の図面に基づいて詳細に説明する。図１、図２は、本発明の実施形態に係る基本的な構成を示すブロック図である。本カメラシステムにおいて、交換レンズ１０１とカメラ本体１０９は、図１に示すように通信端子１０４と１１１を介して通信が可能である。通常、この通信によりカメラ、レンズ各々の状態や光学的固有情報、駆動命令などをやり取りすることでカメラシステムとして動作する。また、カメラ内ＣＰＵ１１０とレンズ内ＣＰＵ１０２は、カメラ内電池１１２によって電源供給されている。
【００１８】
カメラシステムは、交換レンズ１０１、カメラ本体１０９、交換レンズ１０１とカメラ本体１０９との間に装着されるアクセサリ１０５を備える。
【００１９】
交換レンズ１０１は、交換レンズ内の制御を行うレンズ内ＣＰＵ１０２や、ＡＦ用レンズ、ズーミングレンズ、絞り、補正レンズ等を含む光学系１１６や、それらを駆動する駆動手段等を備える。また、ズーミングレンズの位置を検出するためのズーム位置検出用ブラシ、ＡＦ用レンズの位置を検出するためのフォーカス位置検出用ブラシを備える。さらに、補正レンズの位置を検出する位置検出部、交換レンズの振れを検出する振れ検出部を備える。
【００２０】
カメラ本体１０９は、例えば、カメラシステムの制御を行うカメラ内ＣＰＵ１１０や、不図示の測光部、測距部、撮像素子（ＣＣＤやＣＭＯＳセンサ等）の露光時間を制限するためのシャッター機構やカメラの各種情報を表示する表示手段等を備える。
【００２１】
アクセサリ１０５は、例えば、光学系１１７を備えるワイドコンバータ、テレサイドコンバータ、クローズアップレンズ、エクステンダー等を用いることができる。
【００２２】
レンズ内ＣＰＵ１０２内の不図示の記憶部（例えば、電気的に書き換え可能なＦｌａｓｈＲＯＭ等）には、交換レンズの光学的固有情報が格納されており、通信端子１０４及び１１１を介してカメラ内ＣＰＵ１１０に送信する。光学的固有情報とは、例えばレンズ移動量とピント移動量との関係を示すデータ、ピント補正量に関するデータ、焦点距離データ、絞りデータ等である。
【００２３】
交換レンズの光学系１１６を通った光束はメインミラー１１８にて図示しないファインダーへ導かれる光束と、ＡＦセンサ１１９へ導かれる光束とに分割される。カメラ内ＣＰＵ１１０はＡＦセンサ１１９の出力を処理して焦点検出を行い、前述の光学的固有情報と合わせて、交換レンズの光学系１１６に含まれるＡＦ用レンズの駆動量を算出する。
【００２４】
カメラ内ＣＰＵ１１０は算出したレンズ駆動量を通信端子１１１及び１０４を介してレンズ内ＣＰＵ１０２へ伝達する。レンズ内ＣＰＵ１０２は受信したレンズ駆動量に応じてレンズ駆動手段１２２を制御して、交換レンズの光学系１１６に含まれるＡＦ用レンズを駆動する。
【００２５】
また、図示しないレリーズスイッチの押下により撮影命令がカメラ内ＣＰＵ１１０に伝達されたときは、カメラ内ＣＰＵ１１０が、図示しない測光センサもしくはユーザーが設定した絞り値に応じた絞り駆動量を算出する。そして、通信端子１１１及び１０４を介してレンズ内ＣＰＵ１０２へ算出された駆動量を送信する。レンズ内ＣＰＵ１０２は受信した絞り駆動量に応じて絞り駆動手段１２１を制御して絞り１１５を駆動する。更に、カメラ内ＣＰＵ１１０はメインミラー１１８と撮像素子１２０の前面に設置された図示しないシャッターを駆動し、光束が撮像素子１２０へと導かれ撮影が行われる。
【００２６】
図２は、交換レンズ１０１とカメラ本体１０９の間にアクセサリ１０５を装着した場合を示している。このとき、アクセサリ１０５は、通信端子１０７を介してレンズ側通信端子１０４に接続され、通信端子１０８を介してカメラ側通信端子１１１に接続されている。これにより、交換レンズ１０１とアクセサリ１０５とカメラ本体１０９とは相互に通信可能となるように構成されている。アクセサリ内ＣＰＵ（ＥＸＴ内ＣＰＵ）１０６は、不図示の通信装置及び演算装置を備えており、カメラ−レンズ間通信をモニタすることが可能である。また、カメラ−レンズ間通信は、通信遮断スイッチ１０３が接続されていればカメラからレンズへ直接行われるが、通信遮断スイッチ１０３が遮断状態ならば通信が直接伝わらないようになっている。更に、給電開始スイッチ１１３は、アクセサリ１０５に交換レンズ１０１が取り付けられることによって物理的にＯＮされる。それによりカメラ内電池１１２からアクセサリ内ＣＰＵ（ＥＸＴ内ＣＰＵ）１０６及びレンズ内ＣＰＵ１０２に電源供給される。なお、本実施形態におけるアクセサリとは、エクステンダーのことを指す。
【００２７】
図１、図２において、レンズ内ＣＰＵ１０２内の不図示の記憶部には、交換レンズの光学的固有情報が格納されている。光学的固有情報とは、例えば、レンズ移動量とピント移動量との関係を示すデータ、ピント補正量に関するデータ、焦点距離データ、絞りデータ等である。更に、レンズ内ＣＰＵ１０２は、通信端子１０４を介してカメラ側との通信を行い、カメラ側から送られてくる制御命令に従って不図示のＡＦ用レンズ、絞り等の駆動制御を行っている。また、カメラ内ＣＰＵ１１０は、通信端子１１１を介してレンズ側との通信を行っている。更に、カメラ内ＣＰＵ１１０は、ピント位置の演算、不図示のシャッターユニットや撮像素子の制御等を行っている。
【００２８】
図２において、アクセサリ内ＣＰＵ（ＥＸＴ内ＣＰＵ）１０６は、アクセサリに入力された信号を処理する信号処理部であり、記憶部１１４を備えている。記憶部１１４には、交換レンズから送られてきた光学的固有情報を補正するための情報やファームウェア等のＥＸＴ内ＣＰＵ１０６で処理を行う際に使用される情報が格納されている。ここで、記憶部１１４はＥＸＴ内ＣＰＵ１０６内に設けられている必要はなく、ＥＸＴ内ＣＰＵ１０６が記憶部１１４から情報を引き出せる構成であればよい。また、ＥＸＴ内ＣＰＵ１０６通信端子１０７、１０８を介して交換レンズとカメラ本体間の通信をモニタしている。更に、ＥＸＴ内ＣＰＵ１０６は通信遮断スイッチ１０３を操作可能であり、カメラ−レンズ間通信（直接通信）を遮断して、カメラ−レンズ間の通信内容を操作することが可能である。
【００２９】
ここで、図３のフローチャートを用いてピント補正量に関するデータ（ＢＰと呼ぶことにする）をエクステンダーが変換する様子を説明する。まず、ＥＸＴ内ＣＰＵ１０６は通信端子１０７、１０８から、カメラ−レンズ間通信をモニタしている（Ｓ３０１）。モニタ中にカメラがレンズにＢＰ要求命令を送信したことを検出したら（Ｓ３０２）、通信遮断スイッチ１０３を操作してカメラ−レンズ間通信を遮断する（Ｓ３０３）。その後、ＥＸＴ内ＣＰＵ１０６はレンズＣＰＵ１０２に対して焦点距離情報要求命令を送信し、ＢＰを変換するために必要な情報の一つである、焦点距離情報を取得する（Ｓ３０４）。更に、ＥＸＴ内ＣＰＵ１０６は、レンズＣＰＵ１０２に対して物体距離情報要求命令を送信し、ＢＰを変換するために必要な情報の一つである物体距離情報を取得する（Ｓ３０５）。ＥＸＴ内ＣＰＵ１０６は得られた焦点距離情報と物体距離情報から、エクステンダーに対応した新たなＢＰを算出する（Ｓ３０６）。なお、ここでは算出としているが、予め持ったテーブルデータから値を選択するようにしても良い。その後、算出した新たなＢＰをカメラＣＰＵ１１０に送信する（Ｓ３０７）。送信が完了したら、再び通信遮断スイッチ１０３を操作してカメラ−レンズ間通信を再開させる（Ｓ３０８）。その後はＳ３０１に戻り、再びカメラがＢＰ要求命令を送信してくるまでカメラ−レンズ間通信をモニタし続ける。
【００３０】
以下、図４、図５を参照して、本発明の実施形態によるカメラシステムの動作例について説明する。
【００３１】
まず、図４は本実施形態のカメラシステムの構成を示す図である。図４では、エクステンダー１０５内の光学系１１７や、カメラ本体１０９内のメインミラー１１８、ＡＦセンサ１１９は省略している。
【００３２】
本実施形態では、図２における交換レンズ１０１の代わりに、擬似交換レンズとしてＣＰＵを持たないマウント保護キャップ１２４を取り付けている。擬似交換レンズとしてはこれに限らず、例えば、交換レンズと同等のマウント部のみを持つ専用工具でもよいし、内部にＣＰＵを持たないアクセサリでもよい。いずれにしても、カメラ本体との通信機能を持たないものが望ましい。
【００３３】
そして、マウント保護キャップ１２４とエクステンダー１０５とカメラ本体１０９とを接続することで、カメラ内電池１１２からそれぞれに給電が開始されるように給電回路（給電機構）が構成されている。
【００３４】
ここで重要なのは、マウント保護キャップ１２４は交換レンズ１０１と同等のマウント形状を有することでエクステンダー１０５に装着可能であり、エクステンダー１０５に取り付けることにより給電開始スイッチ１１３がＯＮの状態になることである。次に、図５のフローチャートを用いて本実施形態におけるカメラシステムの処理の流れを説明する。まず、カメラ本体１０９にエクステンダー１０５が取り付けられる。その後、マウント保護キャップ１２４が取り付けられると、マウント保護キャップ１２４が取り付けられた時点で給電開始スイッチ１１３がＯＮになり、カメラ内電池１１２からＥＸＴ内ＣＰＵ１０６に給電が開始される（Ｓ５０１）。注意すべきは、カメラ本体、エクステンダー、マウント保護キャップの３点が接続されて初めて給電が開始される点である。上記の３点を接続する順番は違ってもかまわない。給電が開始されると、ＥＸＴ内ＣＰＵ１０６内に備えたタイマーがカウントを開始する（Ｓ５０２）。タイマーのカウント値により、給電開始から所定時間経過したかどうかを判定する（Ｓ５０３）。所定時間経過していなければ、カメラ内ＣＰＵ１１０からエクステンダーの単独動作命令が送られてきたかどうかを判定する（Ｓ５０５）。単独動作命令が送られてきていれば、次にエクステンダー内の記憶部１２４に格納された情報を書き換えるための命令又はデータが送られてきたかどうかを判定する（Ｓ５０６）。送られてきていれば、ＥＸＴ内ＣＰＵ１０６がその命令を実行する（Ｓ５０７）。これにより、エクステンダー内の情報書き換えが行われる。本実施形態において、機器の取り付けから所定時間内に単独動作命令が送られてきた場合には、所定時間をこえてもエクステンダーがカメラ本体と相互に通信を行い続け、命令を実行するところが最も重要な部分である。
【００３５】
ここで「所定時間」とは、前もって設定することが可能であるが、長すぎると電力消費が大きくなってしまい、短すぎると単独動作コマンドを受信できない場合がある。そのため、こういったことを考慮して、例えば数秒程度に設定するのがよい。
【００３６】
また、ここではＥＸＴ内ＣＰＵ１０６が所定時間内に単独動作命令が送られてきたかを判断してカメラ本体との通信を行うかどうかを判断している。しかしながら、この構成に限定されず、カメラ内ＣＰＵ１１０が所定時間内にＥＸＴ内ＣＰＵ１０６へ単独動作命令を送ったかを判断してもよい。例えば、カメラ内ＣＰＵ１１０が所定時間内に単独動作命令を送った場合はＥＸＴ内ＣＰＵ１０６との間で相互通信を可能にするようにし、送らなかった場合はエクステンダーへの電力供給の停止や省電力状態に移行するように命令してもよい。
【００３７】
また、Ｓ５０３において所定時間が経過した場合には、ＥＸＴ内ＣＰＵ１０６は、エクステンダー１０５のシステム全体又は一部を省電力状態か電源停止状態に移行させる（Ｓ５０４）。エクステンダー１０５は、不図示の電気回路及び電気素子を備えており、システム全体とは、その電気回路及び電気素子を含んだエクステンダー１０５内の電気システム全体のことを指す。省電力状態とは、交換レンズ１０１内の回路システムへの給電を制限した状態や、レンズＣＰＵ１０２の動作周波数を低減した状態や、演算処理を停止した状態等を指す。
【００３８】
また、Ｓ５０５において単独動作命令が送られてこなかった場合は、単独動作命令以外の命令が送られてきたかどうかを判定する（Ｓ５０８）。単独動作命令以外を受信した場合、その命令は、カメラ内ＣＰＵ１１０が、交換レンズ内ＣＰＵ１０２に対して送信したものである。この場合カメラ内ＣＰＵ１１０は交換レンズ１０１が装着されているものとして該命令を送信してきている。しかし、本実施形態においては交換レンズ１０１が装着されていないため、該命令に対して正常な応答がカメラ内ＣＰＵ１１０に返らない。ＥＸＴ内ＣＰＵ１０６は、通信端子１０８を通してその様子をモニタすることが可能であり、カメラ内ＣＰＵ１１０に正常な応答が返らない状態を検出した場合には、カメラ−レンズ間通信の通信エラーであると判定する（Ｓ５０９）。前述のＳ５０８で単独動作命令以外の命令が送られてこなかった場合、もしくはＳ５０９において通信エラーと判定された場合は、再びＳ５０３へ戻り、取り付けから所定時間経過したかどうかを判定する。ここで、仮にマウント保護キャップ１２４ではなく、交換レンズ１０１が装着されていた場合には、Ｓ５０９において通信エラーが検出されず、ＥＸＴ内ＣＰＵ１０６は通常の撮影準備動作に入ることになる（Ｓ５１０）。
【００３９】
以上が本実施形態におけるカメラシステムの処理の流れである。本実施形態で参照した図４においては、カメラ本体１０９はまさに撮影を行うカメラ本体そのものを指しており、そのカメラ本体を用いて、例えばユーザーがエクステンダーのファームアップを行うような場合を想定している。しかしながら、本実施形態はこれに限定されるものではなく、例えばカメラ本体側に、エクステンダー調整用の工具等を取り付けた場合にも、前述のフローチャートに沿って正常な動作を行うことが可能である。
【００４０】
本実施形態に拠れば、アクセサリと共に、擬似交換レンズが装着された状態でも、アクセサリ内の情報を書き換えることができる。
【００４１】
本発明はスチルカメラでもビデオカメラでも適用可能である。
【００４２】
本発明では、カメラ本体とアクセサリとの通信を行うことでアクセサリ内のデータの書き換えが行われるため、書き換えのためのデータを最初にカメラ本体へ供給する必要がある。その際、カメラ本体へのデータの供給は、書き換えデータが保存されたメモリ等をカメラ本体に設けられたスロットに挿入し、そこからカメラ本体がデータを読取りアクセサリに送信する構成でもよい。また、カメラ本体をＰＣにケーブル等で接続して、ＰＣから送られてきたデータをカメラ本体がアクセサリに送信する構成でもよい。
【００４３】
以上、本発明の好ましい実施形態について説明したが、本発明は上記の実施形態に限定されず、その要旨の範囲内で種々の変形及び変更が可能である。
【符号の説明】
【００４４】
１０１  交換レンズ
１０２  レンズ内ＣＰＵ
１０３  通信遮断スイッチ
１０５  アクセサリ
１０６  ＥＸＴ内ＣＰＵ
１０９  カメラ
１１０  カメラ内ＣＰＵ
１１２  カメラ内電池
１１３  給電開始スイッチ
１２４  マウント保護キャップ
【図１】
2014209269.tif 000003
【図２】
2014209269.tif 000004
【図３】
2014209269.tif 000005
【図４】
2014209269.tif 000006
【図５】
2014209269.tif 000007